【手続補正書】
【提出日】平成28年1月29日(2016.1.29)
【手続補正１】
【補正対象書類名】特許請求の範囲
【補正対象項目名】全文
【補正方法】変更
【補正の内容】
【特許請求の範囲】
【請求項１】
電子機器を検査する装置であって、前記装置は、
電子機器を受け取るように構成された検査領域と、
前記検査領域内で前記電子機器を支持するように構成された透明プレートと、
前記検査領域と作用可能に関連付けられた複数のミラーと、
前記電子機器が前記検査領域内にあり、前記透明プレートによって支持されている間に、前記複数のミラーから前記透明プレートを通る前記電子機器の反射を受け取るように構成された画像化機器と
を含む、装置。
【請求項２】
前記画像化機器はカメラを含む、請求項１に記載の装置。
【請求項３】
前記検査領域は、
前記透明プレート上方の上方区画部と、
前記透明プレート下方の下方区画部と
を含み、前記複数のミラーは、前記下方区画部内にあり、
前記画像化機器は、前記上方区画部内にある、請求項１に記載の装置。
【請求項４】
前記透明プレートは、回転可能である、請求項１に記載の装置。
【請求項５】
前記検査領域は紫外線照明を有する、請求項１に記載の装置。
【請求項６】
電子機器を分析し、前記電子機器を提出したユーザに対して金銭的報酬を支払う方法であって、前記方法は、
キオスクにおいて、電子機器をユーザから受け取ることであって、前記キオスクは、
検査領域と、
前記検査領域内で前記電子機器を支持するように構成された透明プレートと、
前記検査領域と作用可能に関連付けられた複数のミラーと、
前記検査領域と作用可能に関連付けられた画像化機器と
を含む、ことと、
前記電子機器が前記検査領域内にあり、前記透明プレートによって支持されている間に、前記複数のミラーから前記透明プレートを介して前記電子機器の反射画像を取得するように前記画像化機器を動作させることと、
前記画像に基づいて前記電子機器の光学的検査を実施することであって、前記光学的検査を実施することは、前記電子機器を特定することと、前記電子機器の状態を決定することとを含む、ことと、
前記光学的検査の結果に基づいて、前記電子機器の価値を決定することと
を含む、方法。
【請求項７】
前記電子機器の電気的検査を実施することをさらに含み、前記価値を決定することは、前記電気的検査の結果にさらに基づいて、前記価値を決定することを含む、請求項６に記載の方法。
【請求項８】
前記電子機器が前記検査領域内にある間に、前記電子機器の電源を入れることをさらに含む、請求項６に記載の方法。
【請求項９】
前記光学的検査は、前記電子機器のＬＣＤスクリーンからの発光を測定することを含む、請求項６に記載の方法。
【請求項１０】
前記画像を取得することは、前記ＬＣＤスクリーンの一時的な発光中に前記画像を取得することを含む、請求項９に記載の方法。
【請求項１１】
前記光学的検査を実施した後に前記電子機器を自動的に格納することをさらに含む、請求項６に記載の方法。
【請求項１２】
前記価値に対応する購入価格を前記ユーザに提示することと、
前記キオスクにおいて前記電子機器を前記ユーザから購入することと
をさらに含む、請求項６に記載の方法。
【請求項１３】
前記光学的検査は、前記画像に基づいて前記電子機器のモデルを特定することと、前記画像に基づいて前記電子機器の状態程度を決定することとを含み、
前記方法は、
複数の取得前購入価格を確立することであって、前記複数の取得前購入価格のそれぞれは、特定の状態程度の電子機器の特定のモデルの中古ユニットに対応し、前記取得前購入価格のそれぞれは、前記特定の状態程度における前記特定のモデルの中古ユニットのための複数の入札者のうちの最高入札者からの最高入札によって確立される、ことと、
前記特定されたモデルと前記決定された状態程度とに基づいて、前記複数の取得前購入価格から前記取得前購入価格の適合するものを選択することと、
前記電子機器と引き換えに前記選択された取得前購入価格を前記ユーザに提示することと
をさらに含む、請求項６に記載の方法。
【請求項１４】
前記キオスクにおいて、前記電子機器を前記ユーザから購入することと、
前記電子機器を前記最高入札者に送ることと
をさらに含む、請求項１３に記載の方法。
【請求項１５】
前記検査領域は、
前記透明プレート上方の上方区画部と、
前記透明プレート下方の下方区画部と
を含み、前記複数のミラーは、前記上方区画部内にあり、
前記画像化機器は、前記下方区画部内にある、請求項１に記載の装置。
【請求項１６】
前記透明プレートは、前記検査領域内に前記電子機器を移動させるように構成されている、請求項１に記載の装置。
【請求項１７】
前記電子機器が前記検査領域内にあり、前記透明プレートによって支持されている間に、前記検査領域を閉鎖するように構成されたドアをさらに含む、請求項１に記載の装置。
【請求項１８】
購入される電子機器を保持するように構成された保存部をさらに含み、前記透明プレートは、前記電子機器を前記透明プレートから前記保存部内に落下させるように移動するように構成されている、請求項１に記載の装置。
【請求項１９】
前記電子機器が前記透明プレートによって支持されている間に、前記透明プレートを前記検査領域内に移動させることをさらに含む、請求項６に記載の方法。
【請求項２０】
前記電子機器が前記検査領域内にあり、前記透明プレートによって支持されている間に、前記検査領域のドアを閉鎖することをさらに含む、請求項６に記載の方法。
【請求項２１】
前記電子機器を前記透明プレートから保存部内に落下させるように前記透明プレートを移動させることをさらに含み、前記保存部は、購入される電子機器を保持するように構成されている、請求項６に記載の方法。
【手続補正２】
【補正対象書類名】明細書
【補正対象項目名】００１６
【補正方法】変更
【補正の内容】
【００１６】
本発明の別な態様は複数の壁部を含んだドーム形状装置であり、これら複数の壁部はミラーと少なくとも１つのカメラとを含み、このカメラはドーム形状装置内に置かれた電子機器の複数の画像を提供することができる。本発明はオプションで電動接続体排出装置を含んでいる。この電動接続体排出装置は複数のケーブルを含んだカートリッジを含み、それぞれのケーブルは相互接続可能なコネクタを有しており、電子機器の電気的分析後にそれぞれのケーブルは自動的に引き込まれる。
本発明は、例えば、以下を提供する。
（項目１）
電子機器をリサイクルさせる装置であって、
検査領域と、
前記検査領域内の透明プレートと、
前記検査領域内の少なくとも１つの画像化機器と、
を含んでいることを特徴とする装置。
（項目２）
複数の電気コネクタを備えた回転式配送機をさらに含んでおり、それぞれの電気コネクタは異なっており、電子機器に対して着脱可能に接続できることを特徴とする項目１記載の装置。
（項目３）
前記画像化機器はカメラであることを特徴とする項目１記載の装置。
（項目４）
前記検査領域は、上方区画部と下方区画部とをさらに含んでおり、該上方区画部は、複数のミラーと、上方区画部カメラと、下方区画部カメラとを含んでいることを特徴とする項目１記載の装置。
（項目５）
前記上方区画部カメラ、前記下方区画部カメラ、および前記複数のミラーのそれぞれの組み合わせによって、前記透明プレート上に置かれた電子機器の複数の角度の画像が取得できることを特徴とする項目４記載の装置。
（項目６）
前記上方区画部カメラ、前記下方区画部カメラ、および前記複数のミラーのそれぞれの組み合わせによって、回転可能とされた前記透明プレート上に置かれた電子機器の３６０°の画像が取得できることを特徴とする項目４記載の装置。
（項目７）
前記検査領域は紫外線照射されることを特徴とする項目１記載の装置。
（項目８）
前記検査領域の前記複数のミラーによって、前記透明プレート上に置かれた電子機器の反射画像が取得できることを特徴とする項目４記載の装置。
（項目９）
前記上方区画部、前記下方区画部、および前記複数のミラーのそれぞれの画像化機器の組み合わせによって、前記透明プレート上に置かれた電子機器の複数の画像が取得できることを特徴とする項目１記載の装置。
（項目１０）
前記上方区画部、前記下方区画部、および前記複数のミラーのそれぞれの画像化機器の組み合わせによって、前記電子機器の高さ、幅、平面形状、立体形状または長さの決定が可能であることを特徴とする項目１記載の装置。
（項目１１）
前記下方区画部の画像化機器によって、前記透明プレート上に置かれた前記電子機器のＩＤラベルの画像が取得できることを特徴とする項目１記載の装置。
（項目１２）
前記ＩＤラベルの前記画像は前記電子機器のＭＥＩＤ、ＩＭＥＩまたは連続番号の抽出読取を可能にすることを特徴とする項目１１記載の装置。
（項目１３）
電子機器を分析し、該電子機器を提出したユーザに対して金銭的報酬を支払う方法であって、
少なくとも１つの画像化機器を備えたリサイクルキオスクの検査領域に自動搬送するために電子機器を透明プレート上に配置するステップと、
前記電子機器の特定、及びその状態を視覚的に分析するために前記検査領域内の前記電子機器を画像化するステップと、
分析された前記電子機器の価値を決定するステップと、
を含んでいることを特徴とする方法。
（項目１４）
前記電子機器の電気的分析を実施するステップをさらに含んでいることを特徴とする項目１３記載の方法。
（項目１５）
前記電子機器の電源を入れさせるステップをさらに含んでいることを特徴とする項目１３記載の方法。
（項目１６）
前記電子機器のＬＣＤスクリーンからの発光を測定するステップをさらに含んでいることを特徴とする項目１３記載の方法。
（項目１７）
前記分析は照明時間の終了までに完了されることを特徴とする項目１６記載の方法。
（項目１８）
視覚的検査と電気的検査の後に前記電子機器を自動的に格納するステップをさらに含んでいることを特徴とする項目１３記載の方法。
（項目１９）
電子機器をリサイクルさせる装置であって、
複数の入札者のうちの一人の入札者の最高入札額によって設定される取得前購入価格であるリサイクル電子機器の取得前購入価格を消費者に提示するように設計されているプロセッサーと、
上方区画部と下方区画部とを含んだ検査領域と、
を含んでおり、前記上方区画部と前記下方区画部は複数の壁部を含んでおり、該上方区画部の複数の壁部は複数のミラーと、透明な表面と、少なくとも１台のカメラとを含んでおり、該カメラは本装置内に配置された電子機器の複数の画像を取得できることを特徴とする装置。
（項目２０）
モバイル電子機器を分析し、モバイル電子機器を提出したユーザに対して金銭的報酬を支払う方法であって、
モバイル電子機器を特定するステップと、
中古モデルの前記モバイル電子機器の入札を勧誘するステップと、
複数の入札者から前記中古モデルのモバイル電子機器の複数の入札を受領するステップと、
前記複数の入札者から受領した前記複数の入札に基づいて前記中古モデルのモバイル電子機器のために支払われる購入価格を設定するステップと、
前記モバイル電子機器の中古モデルを該モバイル電子機器のリサイクルキオスクで特定するステップと、
前記リサイクルキオスクで前記中古モデルの前記モバイル電子機器の状態を確認するステップと、
前記リサイクルキオスクで前記中古モデルの前記モバイル電子機器のための前記購入価格を提示するステップと、
前記中古モデルの前記モバイル電子機器を購入するステップと、
を含んでいることを特徴とする方法。
（項目２１）
電子機器を分析し、電子機器を提出したユーザに対して金銭的報酬を支払う方法であって、
それぞれが所定の状態にあるリサイクル電子機器のために確立された複数の取得前購入価格を確立するステップを含んでおり、それぞれの該取得前購入価格は、リサイクル電子機器のための複数の入札者のうちの１人の入札者からの最高価格の入札によって確立されるものであり、本方法は、
少なくとも１台のカメラを備えたキオスクの検査領域に電子機器を配置するステップと、
前記電子機器を画像化するステップと、
前記電子機器を特定するために該電子機器を分析し、該電子機器の状態を決定するステップと、
前記電子機器のための前記複数の取得前購入価格から適合する取得前購入価格を選択するステップと、
前記電子機器のための前記取得前購入価格を消費者に提示するステップと、
をさらに含んでいることを特徴とする方法。
（項目２２）
電子機器を分析し、電子機器を提出したユーザに対して金銭的報酬を支払う方法であって、
モバイル通信機器を特定し、該モバイル通信機器の所定の状態を確認するステップと、
所定の状態の中古モデルの前記モバイル通信機器のための入札を勧誘するステップと、
複数の入札者から前記中古モデルのモバイル通信機器のための複数の入札を受領するステップと、
前記複数の入札者から受領した前記複数の入札に基づいて前記中古モデルのモバイル通信装置のために支払う購入価格を設定するステップと、
前記モバイル電子機器の中古モデルを該モバイル電子機器のリサイクルキオスクで識別するステップと、
前記リサイクルキオスクで前記中古モデルの前記モバイル通信機器の状態を確認するステップと、
前記中古モデルの前記モバイル通信機器のための前記購入価格を提示するステップと、
前記中古モデルの前記モバイル通信機器を購入するステップと、
前記モバイル通信機器を入札勝利者に搬送するステップと、
を含んでいることを特徴とする方法。
（項目２３）
前記リサイクルキオスクは、ハウジングと、ユーザに情報を入力させるための該ハウジングの外側表面のユーザインターフェースと、その少なくとも１つが検査領域に置かれた電子機器に接続可能である複数の電気コネクタと、電子機器に接続されている電気コネクタを自動的に引き込む電気コネクタ引き込み機構と、前記ハウジング内で少なくとも画像化機器、前記複数の電気コネクタのそれぞれ、および前記インターフェースと通信状態にあるプロセッサーとを含んでおり、該プロセッサーは、ユーザからの情報および少なくとも１台のカメラからの画像の少なくとも一方に基づいて電子機器のブランド名とモデル番号を識別するように設計されており、該プロセッサーは前記少なくとも１つの電気コネクタを前記検査領域に排出させる決定をするように設計されており、該プロセッサーは前記電子機器の表示スクリーンを視覚的分析するように設計されており、該プロセッサーは前記電子機器の電気的分析を実施するように設計されており、該プロセッサーは前記電子機器の金銭的報酬値を決定するように設計されていることを特徴とする項目１３から１８および２０から２２のいずれかに記載の方法。
（項目２４）
前記検査領域はさらに上方区画部と下方区画部とを含んでおり、該上方区画部は複数のミラー、上方区画部カメラ、および下方区画部カメラを含んでいることを特徴とする項目１３から１８および２０から２２のいずれかに記載の方法。